(57)【特許請求の範囲】
【請求項１】
認証されたユーザの要求に応じて証明書が自動的に交付される証明書自動交付手段と、上記証明書に掲載される情報を含む固有情報が含まれる住民情報を管理する情報管理手段とを含み、
上記証明書自動交付手段は、キャッシュカードから読み取った口座番号を上記情報管理手段に向けて送信する送信手段と、ネットワークを介して上記情報管理手段から受信した上記固有情報にもとづいて認証を行う認証手段とを備え、
上記情報管理手段は、ネットワークを介して上記証明書自動交付手段から受信した上記口座番号にもとづいて上記固有情報を抽出する固有情報抽出手段と、該固有情報抽出手段によって抽出された上記固有情報を上記証明書自動交付手段に向けて送信する固有情報送信手段とを備える
証明書自動交付システム。
【請求項２】
証明書自動交付手段は、ユーザの操作によりデータの入力が行われるデータ入力手段を備え、
認証手段は、ネットワークを介して情報管理手段から受信した固有情報の一部と、ユーザによる上記データ入力手段の操作により上記証明書自動交付手段に入力された認証情報とを照合することにより認証処理を行う
請求項１記載の証明書自動交付システム。
【請求項３】
認証手段は、固有情報の一部と認証情報とが一致した各個人について認証する
請求項２記載の証明書自動交付システム。
【請求項４】
認証に用いられる固有情報の一部として、生年月日に関する情報が用いられる
請求項１または請求項２記載の証明書自動交付システム。
【請求項５】
固有情報抽出手段は、口座番号から口座所有者を特定する所有者特定手段を有し、該所有者特定手段により特定された上記口座所有者に付与された番号にもとづいて固有情報を抽出する
請求項１ないし請求項４記載の証明書自動交付システム。
【請求項６】
固有情報抽出手段は、口座所有者に付与された番号から所有者の属する世帯を特定する世帯特定手段を有し、該世帯特定手段により特定された世帯に付与された番号に関連付けされている固有情報を抽出する
請求項５記載の証明書自動交付システム。
【請求項７】
証明書自動交付手段は、ユーザの操作によりデータの入力が行われるデータ入力手段と、ユーザによる上記データ入力手段の操作により上記証明書自動交付手段に入力された口座振替要求を受付けて情報管理手段に向けて送信する振替要求送信手段とを含み、
上記情報管理手段は、ネットワークを介して上記証明書自動交付手段から入力した上記口座振替要求に応じて、引き落とし情報を対象となる金融機関の端末装置にネットワークを介して送信することで通知する通知手段を含む
請求項１ないし請求項６記載の証明書自動交付システム。
【請求項８】
証明書自動交付手段は、ユーザの操作によりデータの入力が行われるデータ入力手段と、ユーザによる上記データ入力手段の操作により上記証明書自動交付手段に入力された口座振替要求を受付けて情報管理手段に向けて送信する振替要求送信手段とを含み、
上記情報管理手段は、ネットワークを介して上記証明書自動交付手段から入力した上記口座振替要求に応じて引き落とし情報を格納する引き落とし情報格納手段と、他の料金の口座振替に関する他の引き落とし情報と上記情報格納手段に格納されている上記引き落とし情報とを整理して所定の引き落とし情報を作成する作成手段と、該作成手段によって作成された上記所定の引き落とし情報を対象となる金融機関の端末装置にネットワークを介して送信することで通知する通知手段とを含む
請求項１ないし請求項６記載の証明書自動交付システム。
【請求項９】
証明書に掲載される情報を含む固有情報が含まれる住民情報を管理する情報管理手段によって認証されたユーザの要求に応じて、証明書自動交付手段により上記証明書を自動的に交付する証明書自動交付方法であって、
上記証明書自動交付手段が、キャッシュカードから読み取った口座番号を上記情報管理手段に向けて送信するステップと、
上記情報管理手段が、ネットワークを介して上記証明書自動交付手段から受信した上記口座番号にもとづいて住民情報に含まれる固有情報を抽出するステップと、
上記情報管理手段が、抽出した上記固有情報を上記証明書自動交付手段に向けて送信するステップと、
上記証明書自動交付手段が、ネットワークを介して上記情報管理手段から受信した上記固有情報にもとづいて認証処理を行うステップと、
上記証明書自動交付手段が、認証されたユーザの要求に応じて上記固有情報にもとづく証明書を自動的に交付するステップと
を含む証明書自動交付方法。
【請求項１０】
証明書自動交付手段は、ネットワークを介して情報管理手段から受信した固有情報の一部と、ユーザによる上記証明書自動交付手段が備えるデータ入力手段の操作により上記証明書自動交付手段に入力された認証情報とを照合することにより認証処理を行う
請求項９記載の証明書自動交付方法。
【請求項１１】
情報管理手段は、
口座番号から口座所有者を特定し、
特定した上記口座所有者に付与された番号から上記口座所有者の属する世帯を特定し、
特定した上記世帯に付与された番号に関連付けされている固有情報を抽出する
請求項９または請求項１０記載の証明書自動交付方法。
【請求項１２】
証明書自動交付手段が、ユーザによる上記証明書自動交付手段が備えるデータ入力手段の操作により入力された口座振替要求を受付けて情報管理手段に向けて送信するステップと、
上記情報管理手段が、ネットワークを介して上記証明書自動交付手段から入力した上記口座振替要求に応じて、対象とされる金融機関の端末装置にネットワークを介して引き落とし情報を送信することで通知するステップと
を含む請求項９ないし請求項１１記載の証明書自動交付方法。
【請求項１３】
証明書自動交付手段が、ユーザによる上記証明書自動交付手段が備えるデータ入力手段の操作により入力された口座振替要求を受付けて情報管理手段に向けて送信するステップと、
上記情報管理手段が、ネットワークを介して上記証明書自動交付手段から入力した上記口座振替要求に応じて、引き落とし情報を格納するステップと、
上記情報管理手段が、他の料金の口座振替に関する他の引き落とし情報と上記情報格納手段に格納されている上記引き落とし情報とを整理して所定の引き落とし情報を作成するステップと、
作成した上記所定の引き落とし情報を対象とされる金融機関の端末装置にネットワークを介して送信することで通知するステップと
を含む請求項９ないし請求項１１記載の証明書自動交付方法。
【発明の詳細な説明】
【０００１】
【発明の属する技術分野】
本発明は、例えば自治体（例えば、区役所や、市役所など）により交付される証明書（例えば、住民票）が自動的に交付される際の申請者の認証を行うためのシステムおよび方法に関し、特に、既存の自治体保有データを利用して証明書交付の申請者の認証が行われる証明書自動交付システム、および証明書自動交付方法に関する。
【０００２】
【従来の技術】
市役所などの自治体の窓口業務においては、住民票などの証明書の発行業務が大半を占めている。このように、証明書発行業務を行うための窓口対応など、証明書発行のための業務の比重が大きいため、各自治体は、市民などからの相談受付などの他の業務に十分な時間がとれない状況にあった。
【０００３】
また、自治体の窓口利用時間が限られているため、市民などの窓口利用者にとって、必ずしも利用しやすい環境ではなかった。
【０００４】
従って、各自治体において、証明書発行業務の負担を軽減するとともに、幅広い利用可能時間を確保するために、証明書の自動交付機の導入が始まっている。
【０００５】
【発明が解決しようとする課題】
しかし、市民などの自動交付機により証明書の交付を受けようとする者は、自動交付サービスを受けるための専用カードを予め作成し取得しておかなければならず、煩わしい手続を経なければならないため、利用度は必ずしも高くないという問題があった。
【０００６】
また、各自治体は、専用カードの交付、個々のカードのパスワード管理などの新たな事務が発生するという問題もあった。
【０００７】
一方、各自治体では、税金など各種徴収料金の口座振り替え制度を導入して、収納率の向上および事務処理負担の軽減を図っている。口座振り替え制度においては、口座番号と納税義務者の対応をホストコンピュータ上で管理しておる。従って、各自治体は、口座番号から個人を特定することのできるシステム環境を有している。
【０００８】
本発明は上述した問題を解消し、自治体の業務負担を増加させることなく、多くのユーザが容易に自動交付サービスを利用することができるように、自動交付機の利便性の向上を図ることを目的とする。
【０００９】
【課題を解決するための手段】
上記の問題を解決するために、本発明の証明書自動交付システムは、認証されたユーザ（申請者）の要求に応じて証明書（例えば、住民票などの各種証明書）が自動的に交付される証明書自動交付手段と、証明書に掲載される情報を含む固有情報（例えば、世帯毎に区分けされた情報であって、世帯に属する各人の、氏名、住所、生年月日などの情報）が含まれる住民情報（例えば、各固有情報を含む情報）を管理する情報管理手段とを含み、証明書自動交付手段は、キャッシュカード（例えば、特定の口座に金銭を預けたり、特定の口座から金銭を引き出したりするための、銀行などの金融機関などにより発行されるカード）から読み取った口座番号を情報管理手段に向けて送信する送信手段と、ネットワーク（例えば、専用回線、公衆回線、インターネット）を介して情報管理手段から受信した固有情報にもとづいて認証を行う認証手段とを備え、情報管理手段は、ネットワークを介して証明書自動交付手段から受信した口座番号にもとづいて固有情報を抽出する固有情報抽出手段と、固有情報抽出手段によって抽出された固有情報を証明書自動交付手段に向けて送信する固有情報送信手段とを備えるものである。
【００１０】
上記の構成としたことで、自動交付サービスを利用するための専用のカードの発行を受ける必要をなくすことができ、ユーザにとって容易に証明書の自動交付サービスを受けることができる。従って、自動交付機の利便性を向上させることができ、利用者の範囲を広げることができる。また、自動交付サービスを提供するための専用のカードの発行を不要とすることができるため、パスワード管理などの専用カードに起因する新たな事務処理が発生することなく、自治体の業務負担を増加させずに自動交付サービスの利便性の向上を図ることができる。さらに、既に採用されている口座振替制度で構築された環境を利用して証明書の交付を行うことができるため、証明書の自動交付システムを安価に導入することができる。
【００１１】
また、証明書自動交付手段は、ユーザの操作によりデータの入力が行われるデータ入力手段を備え、認証手段は、ネットワークを介して情報管理手段から受信した固有情報の一部と、ユーザによるデータ入力手段の操作により証明書自動交付手段に入力された認証情報とを照合することにより認証処理を行うようにしてもよい。
【００１２】
上記の構成としたことで、ユーザが固有情報の一部を入力するだけの簡単な操作にもとづいて認証処理を実行することができる。
【００１３】
また、認証手段は、固有情報の一部と認証情報とが一致した各個人について認証する構成としてもよい。
【００１４】
上記の構成としたことで、固有情報に含まれる世帯に属する者のうち、その一部の者を対象とした認証処理を行うことができる。
【００１５】
また、認証に用いられる固有情報の一部として、生年月日に関する情報が用いられる構成としてもよい。
【００１６】
上記の構成としたことで、ユーザが生年月日に関する情報を入力するだけの簡単な操作にもとづいて認証処理を実行することができる。
【００１７】
また、固有情報抽出手段は、口座番号から口座所有者を特定する所有者特定手段を有し、所有者特定手段により特定された口座所有者に付与された番号にもとづいて固有情報を抽出する構成としてもよい。
【００１８】
上記の構成としたことで、所有者に付与された番号を用いて、口座番号から抽出する固有情報を特定することができる。
【００１９】
また、固有情報抽出手段は、口座所有者に付与された番号から所有者の属する世帯を特定する世帯特定手段を有し、世帯特定手段により特定された世帯に付与された番号に関連付けされている固有情報を抽出するようにしてもよい。
【００２０】
上記の構成としたことで、所有者に付与された番号および世帯に付与された番号を用いて、口座番号から抽出する固有情報を特定することができる。
【００２１】
また、証明書自動交付手段は、ユーザの操作によりデータの入力が行われるデータ入力手段と、ユーザによるデータ入力手段の操作により証明書自動交付手段に入力された口座振替要求を受付けて情報管理手段に向けて送信する振替要求送信手段とを含み、情報管理手段は、ネットワークを介して証明書自動交付手段から入力した口座振替要求に応じて、引き落とし情報を対象となる金融機関の端末装置にネットワークを介して送信することで通知する通知手段を含むようにしてもよい。
【００２２】
上記の構成としたことで、認証情報の抽出に用いたキャッシュカードの口座番号からの口座振替をすることができる。また、既に採用されている口座振替制度の環境を利用して口座振替により証明書交付の手数料を支払うことができるため、証明書交付サービスにおいて安価にキャッシュレスサービスを導入することができる。さらに、キャッシュレスサービスを行うことで、自動交付機による現金の管理が軽減され、自動交付機を容易に運用することができるようになる。
【００２３】
さらに、証明書自動交付手段は、ユーザの操作によりデータの入力が行われるデータ入力手段と、ユーザによるデータ入力手段の操作により証明書自動交付手段に入力された口座振替要求を受付けて情報管理手段に向けて送信する振替要求送信手段とを含み、情報管理手段は、ネットワークを介して証明書自動交付手段から入力した口座振替要求に応じて引き落とし情報を格納する引き落とし情報格納手段と、他の料金の口座振替に関する他の引き落とし情報と情報格納手段に格納されている引き落とし情報とを整理して所定の引き落とし情報を作成する作成手段と、作成手段によって作成された所定の引き落とし情報を対象となる金融機関の端末装置にネットワークを介して送信することで通知する通知手段とを含むようにしてもよい。
【００２４】
上記の構成としたことで、例えば自治体において口座振替に関する情報を一括して管理することができる。また、口座振替に関する情報を一括して金融機関に通知することができ、各金融機関において容易に情報の管理を行うことができる。
【００２５】
また、本発明の証明書自動交付方法は、証明書に掲載される情報を含む固有情報が含まれる住民情報を管理する情報管理手段によって認証されたユーザの要求に応じて、証明書自動交付手段により証明書を自動的に交付する証明書自動交付方法であって、証明書自動交付手段が、キャッシュカードから読み取った口座番号を情報管理手段に向けて送信するステップと、情報管理手段が、ネットワークを介して証明書自動交付手段から受信した口座番号にもとづいて住民情報に含まれる固有情報を抽出するステップと、情報管理手段が、抽出した固有情報を証明書自動交付手段に向けて送信するステップと、証明書自動交付手段が、ネットワークを介して情報管理手段から受信した固有情報にもとづいて認証処理を行うステップと、証明書自動交付手段が、認証されたユーザの要求に応じて固有情報にもとづく証明書を自動的に交付するステップとを含むものである。
【００２６】
上記の構成としたことで、自動交付サービスを利用するための専用のカードの発行を受ける必要をなくすことができ、ユーザにとって容易に証明書の自動交付サービスを受けることができる。従って、自動交付機の利便性を向上させることができ、利用者の範囲を広げることができる。また、自動交付サービスを提供するための専用のカードの発行を不要とすることができるため、パスワード管理などの専用カードに起因する新たな事務処理が発生することなく、自治体の業務負担を増加させずに自動交付サービスの利便性の向上を図ることができる。さらに、既に採用されている口座振替制度で構築された環境を利用して証明書の交付を行うことができるため、証明書の自動交付システムを安価に導入することができる。
【００２９】
また、証明書自動交付手段は、ネットワークを介して情報管理手段から受信した固有情報の一部と、ユーザによる証明書自動交付手段が備えるデータ入力手段の操作により証明書自動交付手段に入力された認証情報とを照合することにより認証処理を行うようにしてもよい。
【００３０】
上記の構成としたことで、ユーザが固有情報の一部を入力するだけの簡単な操作にもとづいて認証処理を実行することができる。
【００３１】
また、情報管理手段は、口座番号から口座所有者を特定し、特定した口座所有者に付与された番号から口座所有者の属する世帯を特定し、特定した世帯に付与された番号に関連付けされている固有情報を抽出するようにしてもよい。
【００３２】
上記の構成としたことで、口座番号から、口座所有者、口座所有者の属する世帯を経由して、認証や証明書の交付などを行うための固有情報を抽出することができる。
【００３３】
また、証明書自動交付手段が、ユーザによる証明書自動交付手段が備えるデータ入力手段の操作により入力された口座振替要求を受付けて情報管理手段に向けて送信するステップと、情報管理手段が、ネットワークを介して証明書自動交付手段から入力した口座振替要求に応じて、対象とされる金融機関の端末装置にネットワークを介して引き落とし情報を送信することで通知するステップとを含むようにしてもよい。
【００３４】
上記の構成としたことで、認証情報の抽出に用いたキャッシュカードの口座番号からの口座振替をすることができる。また、既に採用されている口座振替制度の環境を利用して口座振替により証明書交付の手数料を支払うことができるため、証明書交付サービスにおいて安価にキャッシュレスサービスを導入することができる。さらに、キャッシュレスサービスを行うことで、例えば自動交付機による現金の管理が軽減され、自動交付機を容易に運用することができるようになる。
【００３５】
さらに、証明書自動交付手段が、ユーザによる証明書自動交付手段が備えるデータ入力手段の操作により入力された口座振替要求を受付けて情報管理手段に向けて送信するステップと、情報管理手段が、ネットワークを介して証明書自動交付手段から入力した口座振替要求に応じて、引き落とし情報を格納するステップと、情報管理手段が、他の料金の口座振替に関する他の引き落とし情報と情報格納手段に格納されている引き落とし情報とを整理して所定の引き落とし情報を作成するステップと、作成した所定の引き落とし情報を対象とされる金融機関の端末装置にネットワークを介して送信することで通知するステップとを含むようにしてもよい。
【００３６】
上記の構成としたことで、例えば自治体において口座振替に関する情報を一括して管理することができる。また、口座振替に関する情報を一括して金融機関に通知することができ、各金融機関において容易に情報の管理を行うことができる。
【００４１】
【発明の実施の形態】
本発明の一実施の形態について図面を参照して説明する。
図１は、本例の証明書自動交付システム１０の構成の例を示すブロック図である。証明書自動交付システム１０は、それぞれ証明書を自動的に交付する自動交付機２０Ａ〜２０Ｃと、ホストコンピュータ３０とを含む。各自動交付機２０Ａ〜２０Ｃとホストコンピュータ３０は、それぞれ通信ネットワーク（例えば、インターネット、公衆回線、専用回線など）４０により接続されている。
【００４２】
各自動交付機２０Ａ〜２０Ｃは、例えば所定の自治体内、あるいは自治体に管理される所定の交付地（例えば、市役所の本部や、出張所）にそれぞれ設置される。なお、ネットワーク４０に接続される自動交付機は、ここでは３つとしているが、いくつ接続されていてもよい。また、各自動交付機２０Ａ〜２０Ｃはそれぞれ同様に構成されるものであるため、以下の説明においては、代表して自動交付機２０Ａについて説明する。
【００４３】
自動交付機２０Ａは、データ表示部２１Ａと、カード読取部２２Ａと、データ入力部２３Ａと、データ印刷部２４Ａと、制御部２５Ａと、送受信部２６Ａとを含む。自動交付機２０は、それぞれ、申請者（例えば、市民、市民から依頼を受けた者など）の操作にもとづいて、申請者の認証を行う機能、および証明書を発行する機能などを有している。
【００４４】
データ表示部２１Ａは、例えばＬＣＤ（液晶表示装置）などにより構成され、例えば入力画面などの各種データが表示される。カード読取部２２Ａでは、キャッシュカードの口座番号の読み取りが行われる。データ入力部２３Ａは、例えばキーボードやタッチパネルなどにより構成され、申請者の操作により各種データの入力が行われる。印刷部２４Ａでは、各種証明書などが印字出力される。
【００４５】
制御部２５Ａは、例えばＣＰＵ（中央処理装置）と呼ばれる装置で構成され、機器２０Ａ全体の制御を行う。すなわち、制御部２５Ａは、例えば、ホストコンピュータ３０に出力するデータやホストコンピュータ３０から入力したデータを蓄積する（この場合、例えば制御部２５Ａが内部に備える図示しない格納領域に蓄積される）機能、データ表示部２１Ａに表示されるデータを編集する機能や、入力データチェックなどのデータ処理機能などの各種機能を有している。
【００４６】
送受信部２６Ａは、ホストコンピュータ３０に向けてネットワーク４０を介してデータを送信し、また、ホストコンピュータ３０からネットワーク４０を介して入力したデータを受信する。
【００４７】
ホストコンピュータ３０は、例えばワークステーションサーバなどの情報処理装置により構成され、各種証明書の自動交付を行うために用いられる各種の情報の管理などが行われる。
【００４８】
ホストコンピュータ３０は、例えば内部に有するデータ処理プログラムにもとづいてコンピュータ３０全体を制御する制御部３１と、口座管理ファイル（キャッシュカードの口座番号と、キャッシュカードの所有者に付与された番号（個人番号）とが関連付けされているファイル）が記憶された口座管理ファイル記憶部３２と、個人世帯番号ファイル（個人番号と、個人の所属する世帯に付与された番号（世帯番号）とが関連付けされているファイル）が記憶された個人世帯番号ファイル記憶部３３とを含む。
【００４９】
また、ホストコンピュータ３０は、世帯番号と固有情報（各個人の個人情報が各世帯毎に区分けされた情報）が関連付けされて登録されているが記憶された住民情報マスタ３４と、口座振替ファイル（口座からの引き落とし情報が蓄積されているファイル）が記憶された口座振替ファイル記憶部３５と、発行記録ファイル（証明書などの発行情報が蓄積されたファイル）が記憶された発行記録ファイル記憶部３６と、送受信部３７とを含む。ホストコンピュータ３０は、発行される証明書データを保有する。
【００５０】
次に、本例の証明書自動交付システム１０における申請者の認証処理を含む証明書自動交付処理について、図２〜図６を参照して説明する。なお、ここでは、ユーザ（申請者）が、自動交付機２０Ａを操作して証明書の交付を受ける場合の処理について説明する。
【００５１】
なお、ホストコンピュータ３０の管理者（例えば、自治体関係者）により、ホストコンピュータ３０の各記憶部３２〜３４にユーザＡの口座番号などが予め登録されている。先ず、ホストコンピュータ３０の各記憶部３２〜３４への登録手続について説明する。
【００５２】
例えば、管理者によって、各固有情報に世帯番号が付与され、自治体が管理する住民について住民情報マスタファイルが作成されて、予め住民情報マスタファイル記憶部３４に登録される。また、自治体により、世帯に属する各人に個人番号が付与され、個人世帯番号ファイルが作成されて、予め個人世帯番号ファイル記憶部３３に登録される。
【００５３】
そして、税金などについて口座振替制度が利用された際に、自治体により、予め付与されている個人番号と口座番号とを関連付けた口座管理ファイルが作成され、口座管理ファイル記憶部３２に登録される。従って、証明書の自動交付サービスを受けるために、ユーザが煩わしい登録手続をすることを要しない。
【００５４】
なお、対象の自治体が税金などの口座振替制度を有しない場合や、税金などの口座振替制度を未だ利用していない場合であっても、ユーザが口座管理ファイルの作成のための手続（口座番号の提示など）をすることで、証明書の自動交付サービスを受けることができるようになる。
【００５５】
図２は、本例の証明書自動交付システム１０における申請者の認証処理を含む証明書自動交付処理および動作タイミングの例を示す説明図である。
【００５６】
先ず、ユーザによりキャッシュカードが自動交付機２０Ａのカード読取部２２Ａに差し込まれると、カード読取部２２Ａは、キャッシュカードの口座番号を読み取る（ステップＳ２０１）。口座番号を読み取ると、自動交付機２０Ａの送受信部２６Ａは、口座番号データを、ホストコンピュータ３０に向けてネットワーク４０を介して送信する（ステップＳ２０２）。
【００５７】
送受信部３７により口座番号データを受信すると（ステップＳ２０３）、ホストコンピュータ３０は、口座管理ファイル記憶部３２に格納されている口座管理ファイルにもとづいて、口座番号に関連付けされている個人番号を取得する（ステップＳ２０４）。
【００５８】
口座管理ファイルは、例えば図３に示すように、各キャッシュカードの口座番号と、口座の所有者に付与された各個人番号とが関連付けされて登録されているファイルである。
【００５９】
個人番号を取得すると、ホストコンピュータ３０は、個人世帯番号ファイル記憶部３３に格納されている個人世帯番号ファイルにもとづいて、取得した個人番号に関連付けられている世帯番号を取得する（ステップＳ２０５）。
【００６０】
個人世帯番号ファイルは、例えば図４に示すように、口座所有者に付与された個人番号と、その口座所有者が属する世帯に付与された世帯番号とが関連付けされて登録されているファイルである。
【００６１】
世帯番号を取得すると、ホストコンピュータ３０は、住民情報マスタファイル記憶部３４に格納されている住民情報マスタファイルにもとづいて、取得した世帯番号に関連付けされている固有情報を取得する（ステップＳ２０６）。
【００６２】
住民情報マスタファイルは、例えば図５に示すように、各世帯毎に付与されている世帯番号と、その世帯に属する住民の固有情報とが関連付けされている情報である。なお、固有情報には、例えば、氏名、住所、性別、生年月日などの各個人の情報が含まれる。
【００６３】
固有情報を取得すると、ホストコンピュータ３０の送受信部３７は、ネットワーク４０を介して、取得した固有情報を自動交付機２０Ａに送信する（ステップＳ２０７）。
【００６４】
送受信部２６Ａにより固有情報を受信すると（ステップＳ２０８）、自動交付機２０Ａは、制御部２５Ａ内部に有する図示しない記憶領域に固有情報を格納する。そして、自動交付機２０Ａは、固有情報の一部（例えば、住所、氏名）をデータ表示部２１Ａに表示して、ユーザＡに対して認証情報（表示されていない固有情報から選択される情報であり、例えば生年月日）の入力を要求する（ステップＳ２０９）。
【００６５】
データ表示部２１Ａに表示される認証情報入力画面は、例えば図６に示すように、固有情報の一部として本例では住所および氏名が表示される。また、認証情報として本例では生年月日の入力を受付けるために、世帯に属する各個人の生年月日の入力領域１０１ａ〜１０１ｃが設けられている。
【００６６】
認証情報の入力要求に応じて、ユーザＡによりデータ入力部２３Ａが操作されて認証情報（本例では、世帯に属する者の生年月日）が入力され、本例では決定ボタン１０２が押下されると、自動交付機２０Ａは、認証情報の入力を受付ける（ステップＳ２１０）。
【００６７】
認証情報を受付けると、自動交付機２０Ａは、入力された情報と制御部２５Ａに格納されている情報とを照合し、双方の情報が合致した者（世帯に属する者）について証明書交付の認証を行う（ステップＳ２１１）。すなわち、本例では、入力された生年月日すべてが合致すれば、世帯全体に対する証明書交付の認証がされる。また、入力された生年月日のうち、一部の者について合致すれば、合致した一部の者に対する証明書交付の認証がされる。
【００６８】
全部または一部の者に対する認証がされると、自動交付機２０Ａは、証明書の発行が許可された者の固有情報をデータ表示部２１Ａに表示し、ユーザＡに対して発行情報（証明書の種類、証明書の記載事項、部数、口座振替の有無、証明発行対象者指示など）の入力を要求する（ステップＳ２１２）。
【００６９】
データ入力部２３Ａが操作されて発行情報が入力されると、自動交付機２０Ａは、ユーザＡからの要求を受付け（ステップＳ２１３）、認証により交付が許可された範囲の発行請求であるかどうかを制御部２５Ａによりチェックする。許可された範囲内であれば、自動交付機２０Ａは、制御部２５Ａの制御により証明書の様式などを編集し、データ印刷部２４Ａにより証明書を印刷して交付する（ステップＳ２１４）。
【００７０】
なお、口座振替による支払いをしない場合には、自動交付機２０Ａは、例えば現金による証明書の交付手数料の納付を受付ける。この場合、ユーザにより自動交付機１０Ａに現金が投入され、所定料金が支払われたあとにステップＳ２１４にて証明書が交付されるようにする。
【００７１】
また、発行情報の入力要求の際に、例えばデータ表示部２１Ａの入力画面における入力できる入力領域を制限するなどして、認証により交付が許可された範囲以外では発行情報入力ができないようにしてもよい。
【００７２】
また、自動交付機２０Ａは、入力された発行関連情報（発行情報およびステップＳ２０１にて読み取った口座番号データ）を、ネットワーク４０を介してホストコンピュータ３０に送信する（ステップＳ２１５）。
【００７３】
送受信部３７により発行関連情報を受信すると（ステップＳ２１６）、ホストコンピュータ３０は、発行関連情報を発行記録ファイル記憶部３６に格納するとともに、発行情報に口座振替指示が含まれていた場合には発行関連情報のうちの口座からの引き落とし情報（例えば、各手数料の対象項目、交付日時、金額、口座番号などの情報）を口座振替ファイル記憶部３５に格納する（ステップＳ２１７）。
【００７４】
発行関連情報の格納を終えると、ホストコンピュータ３０は、登録が完了したことを示す登録完了情報を、ネットワーク４０を介して、自動交付機２０Ａに向けて送信する（ステップＳ２１８）。
【００７５】
送受信部２６Ａにより登録完了情報を受信すると（ステップＳ２１９）、自動交付機２０Ａは、例えば口座引き落としに関する情報などの各種の情報をデータ表示部２１Ａに表示させるとともに、データ印刷部２４Ａにより領収書（現金払いの場合）または振替通知書（口座振替の場合）を印刷出力する（ステップＳ２２０）。
【００７６】
領収書または振替通知書の印刷出力を終えると、自動交付機２０Ａは、カード読取部２２Ａからキャッシュカードを排出し（ステップＳ２２１）、手続の終了をユーザに通知するために処理の完了をデータ表示部２１Ａに表示する（ステップＳ２２２）。
【００７７】
処理の完了を表示すると、本例の証明書自動交付システム１０は、証明書の自動交付処理を終了する。
【００７８】
なお、口座振替ファイル記憶部３５に記憶されている口座引き落とし情報は、例えば定期的に、ホストコンピュータ３０から対象となる金融機関に通知される。この場合、例えば、口座引き落とし情報は、ネットワーク４０に接続された金融機関の端末装置にネットワーク４０を介して送信されるなどして通知される。なお、例えば登録後直ちに通知するなど、定期的な通知でなくともよい。
【００７９】
以上説明したようにキャッシュカードの口座番号により申請者の認証を行う構成としたことで、自動交付機を利用するための専用のカードの発行を受ける必要をなくすことができ、容易に証明書の自動交付サービスを受けることができる。従って、自動交付機の利便性を向上させることができ、利用者の範囲を広げることができる。
【００８０】
また、上述したようにキャッシュカードの口座番号により申請者の認証を行う構成としたことで、自動交付機を利用するための専用のカードの発行を不要とすることができるため、パスワード管理などの専用カードに起因する新たな事務処理が発生することなく、自治体の業務負担を増加させずに自動交付機の利便性の向上を図ることができる。
【００８１】
さらに、上述したように既に採用されている口座振替制度で構築された環境を利用して証明書の交付を行う構成としたため、証明書の自動交付システムを安価に導入することができる。また、既に採用されている口座振替制度の環境を利用して口座振替により証明書交付の手数料を支払う構成としたことで、証明書交付サービスにおいて安価にキャッシュレスサービスを導入することができる。さらに、キャッシュレスサービスを行うことで、自動交付機による現金の管理が軽減され、自動交付機を容易に運用することができるようになる。
【００８２】
なお、上述した一実施の形態では、ホストコンピュータ３０が引き落とし情報を口座振替ファイル記憶部３５に格納し、格納された引き落とし情報を対象となる金融機関に通知する構成としていたが、口座振替ファイル記憶部３５に格納された引き落とし情報と、税金などの料金の口座振替制度において用いられている既存の口座振替ファイル記憶部に格納されている引き落とし情報とを整理して、金融機関に通知するための一括したデータを作成するようにしてもよい。この場合、例えば図７に示すように、ホストコンピュータ３０ａが構成される。
【００８３】
図７は、証明書の交付手数料の口座引き落とし情報と税金などの他の料金の口座引き落とし情報とを整理することで、金融機関向けのデータが作成されるホストコンピュータ３０ａの構成の例を示すブロック図である。
【００８４】
この例では、ホストコンピュータ３０ａは、整理された口座引き落とし情報が格納される金融機関向け口座振替ファイル記憶部３５ａを含む。
【００８５】
次に、ホストコンピュータ３０ａにおける金融機関向け引き落とし情報作成処理について、図８を参照して説明する。
【００８６】
先ず、例えば税・料金の徴収に関する各種のデータを管理する図示しない他のホストコンピュータから、ホストコンピュータ３０ａに、ネットワーク４０を介して税・料金に関する口座引き落とし情報が入力される（ステップＳ８０１）。
【００８７】
税・料金に関する口座引き落とし情報が入力されると、ホストコンピュータ３０ａは、制御部３１の制御により、例えば、受信した引き落とし情報（税・料金）に含まれている特定の情報（例えば、口座番号、金融機関など）と同一の情報が含まれている口座振替ファイル記憶部３５に格納されている引き落とし情報（証明書）を読み出す（ステップＳ８０２）。すなわち、ホストコンピュータ３０ａは、特定の情報をキーとして、口座振替ファイル記憶部３５に格納されている引き落とし情報を読み出す。
【００８８】
次いで、ホストコンピュータ３０ａは、制御部３１の制御により、特定の情報にもとづいて編集された金融機関向けの引き落とし情報を作成する（ステップＳ８０３）。この場合、証明書関係の引き落とし情報と、税・料金関係の引き落とし情報とが、例えば金融機関毎や口座番号毎などに編集され、整理された金融機関向けの引き落とし情報が作成される。
【００８９】
そして、ホストコンピュータ３０ａは、作成された金融機関向け引き落とし情報を、金融機関向け口座振替ファイル記憶部３５ａに格納する（ステップＳ８０４）。このようにして、整理された金融機関向け引き落とし情報が作成され格納される。
【００９０】
なお、金融機関向け口座振替ファイル記憶部３５ａに記憶されている口座引き落とし情報は、例えば定期的に、ホストコンピュータ３０ａから対象となる金融機関に通知される。この場合、例えば、口座引き落とし情報は、ネットワーク４０に接続された金融機関の端末装置にネットワーク４０を介して送信されるなどして通知される。なお、例えば登録後直ちに通知するなど、定期的な通知でなくともよい。
【００９１】
このように証明書の交付にもとづく口座引き落とし情報と税金などの料金に関する引き落とし情報とを整理して金融機関向けの引き落とし情報を作成する構成としたことで、自治体において口座振替に関する情報を一括して管理することができる。また、口座振替に関する情報を一括して金融機関に通知することができ、各金融機関において容易に情報の管理を行うことができる。
【００９２】
【発明の効果】
以上のように本発明によれば、証明書自動交付システムを、認証されたユーザの要求に応じて証明書が自動的に交付される証明書自動交付手段と、証明書に掲載される情報を含む固有情報が含まれる住民情報を管理する情報管理手段とを含み、証明書自動交付手段は、キャッシュカードから読み取った口座番号を情報管理手段に向けて送信する送信手段と、ネットワークを介して情報管理手段から受信した固有情報にもとづいて認証を行う認証手段とを備え、情報管理手段は、ネットワークを介して証明書自動交付手段から受信した口座番号にもとづいて固有情報を抽出する固有情報抽出手段と、固有情報抽出手段によって抽出された固有情報を証明書自動交付手段に向けて送信する固有情報送信手段とを備えるものであるため、自動交付サービスを利用するための専用のカードの発行を受ける必要をなくすことができ、ユーザにとって容易に証明書の自動交付サービスを受けることができる。従って、自動交付機の利便性を向上させることができ、利用者の範囲を広げることができる。
また、自動交付サービスを提供するための専用のカードの発行を不要とすることができるため、パスワード管理などの専用カードに起因する新たな事務処理が発生することなく、自治体の業務負担を増加させずに自動交付サービスの利便性の向上を図ることができる。さらに、既に採用されている口座振替制度で構築された環境を利用して証明書の交付を行うことができるため、証明書の自動交付システムを安価に導入することができる。
【００９３】
証明書自動交付手段は、ユーザの操作によりデータの入力が行われるデータ入力手段を備え、認証手段は、ネットワークを介して情報管理手段から受信した固有情報の一部と、ユーザによるデータ入力手段の操作により証明書自動交付手段に入力された認証情報とを照合することにより認証処理を行うとした場合には、ユーザが固有情報の一部を入力するだけの簡単な操作にもとづいて認証処理を実行することができる。
【００９４】
認証手段は、固有情報の一部と認証情報とが一致した各個人について認証する構成とした場合には、固有情報に含まれる世帯に属する者のうち、その一部の者を対象とした認証処理を行うことができる。
【００９５】
認証に用いられる固有情報の一部として、生年月日に関する情報が用いられる構成とした場合には、ユーザが生年月日に関する情報を入力するだけの簡単な操作にもとづいて認証処理を実行することができる。
【００９６】
固有情報抽出手段は、口座番号から口座所有者を特定する所有者特定手段を有し、所有者特定手段により特定された口座所有者に付与された番号にもとづいて固有情報を抽出する構成とした場合には、所有者に付与された番号を用いて、口座番号から抽出する固有情報を特定することができる。
【００９７】
固有情報抽出手段は、口座所有者に付与された番号から所有者の属する世帯を特定する世帯特定手段を有し、世帯特定手段により特定された世帯に付与された番号に関連付けされている固有情報を抽出するようにした場合には、所有者に付与された番号および世帯に付与された番号を用いて、口座番号から抽出する固有情報を特定することができる。
【００９８】
証明書自動交付手段は、ユーザの操作によりデータの入力が行われるデータ入力手段と、ユーザによるデータ入力手段の操作により証明書自動交付手段に入力された口座振替要求を受付けて情報管理手段に向けて送信する振替要求送信手段とを含み、情報管理手段は、ネットワークを介して証明書自動交付手段から入力した口座振替要求に応じて、引き落とし情報を対象となる金融機関の端末装置にネットワークを介して送信することで通知する通知手段を含むとした場合には、認証情報の抽出に用いたキャッシュカードの口座番号からの口座振替をすることができる。また、既に採用されている口座振替制度の環境を利用して口座振替により証明書交付の手数料を支払うことができるため、証明書交付サービスにおいて安価にキャッシュレスサービスを導入することができる。さらに、キャッシュレスサービスを行うことで、自動交付機による現金の管理が軽減され、自動交付機を容易に運用することができるようになる。
【００９９】
証明書自動交付手段は、ユーザの操作によりデータの入力が行われるデータ入力手段と、ユーザによるデータ入力手段の操作により証明書自動交付手段に入力された口座振替要求を受付けて情報管理手段に向けて送信する振替要求送信手段とを含み、情報管理手段は、ネットワークを介して証明書自動交付手段から入力した口座振替要求に応じて引き落とし情報を格納する引き落とし情報格納手段と、他の料金の口座振替に関する他の引き落とし情報と情報格納手段に格納されている引き落とし情報とを整理して所定の引き落とし情報を作成する作成手段と、作成手段によって作成された所定の引き落とし情報を対象となる金融機関の端末装置にネットワークを介して送信することで通知する通知手段とを含むとした場合には、例えば自治体において口座振替に関する情報を一括して管理することができる。また、口座振替に関する情報を一括して金融機関に通知することができ、各金融機関において容易に情報の管理を行うことができる。
【０１００】
また、本発明によると、証明書自動交付方法を、証明書に掲載される情報を含む固有情報が含まれる住民情報を管理する情報管理手段によって認証されたユーザの要求に応じて、証明書自動交付手段により証明書を自動的に交付する証明書自動交付方法であって、証明書自動交付手段が、キャッシュカードから読み取った口座番号を情報管理手段に向けて送信するステップと、情報管理手段が、ネットワークを介して証明書自動交付手段から受信した口座番号にもとづいて住民情報に含まれる固有情報を抽出するステップと、情報管理手段が、抽出した固有情報を証明書自動交付手段に向けて送信するステップと、証明書自動交付手段が、ネットワークを介して情報管理手段から受信した固有情報にもとづいて認証処理を行うステップと、証明書自動交付手段が、認証されたユーザの要求に応じて固有情報にもとづく証明書を自動的に交付するステップとを含むものであるとしたので、自動交付サービスを利用するための専用のカードの発行を受ける必要をなくすことができ、ユーザにとって容易に証明書の自動交付サービスを受けることができる。従って、自動交付機の利便性を向上させることができ、利用者の範囲を広げることができる。
また、自動交付サービスを提供するための専用のカードの発行を不要とすることができるため、パスワード管理などの専用カードに起因する新たな事務処理が発生することなく、自治体の業務負担を増加させずに自動交付サービスの利便性の向上を図ることができる。さらに、既に採用されている口座振替制度で構築された環境を利用して証明書の交付を行うことができるため、証明書の自動交付システムを安価に導入することができる。
【０１０２】
証明書自動交付手段は、ネットワークを介して情報管理手段から受信した固有情報の一部と、ユーザによる証明書自動交付手段が備えるデータ入力手段の操作により証明書自動交付手段に入力された認証情報とを照合することにより認証処理を行うようにした場合には、ユーザが固有情報の一部を入力するだけの簡単な操作にもとづいて認証処理を実行することができる。
【０１０３】
情報管理手段は、口座番号から口座所有者を特定し、特定した口座所有者に付与された番号から口座所有者の属する世帯を特定し、特定した世帯に付与された番号に関連付けされている固有情報を抽出するようにした場合には、口座番号から、口座所有者、口座所有者の属する世帯を経由して、認証や証明書の交付などを行うための固有情報を抽出することができる。
【０１０４】
証明書自動交付手段が、ユーザによる証明書自動交付手段が備えるデータ入力手段の操作により入力された口座振替要求を受付けて情報管理手段に向けて送信するステップと、情報管理手段が、ネットワークを介して証明書自動交付手段から入力した口座振替要求に応じて、対象とされる金融機関の端末装置にネットワークを介して引き落とし情報を送信することで通知するステップとを含むようにした場合には、認証情報の抽出に用いたキャッシュカードの口座番号からの口座振替をすることができる。また、既に採用されている口座振替制度の環境を利用して口座振替により証明書交付の手数料を支払うことができるため、証明書交付サービスにおいて安価にキャッシュレスサービスを導入することができる。さらに、キャッシュレスサービスを行うことで、例えば自動交付機による現金の管理が軽減され、自動交付機を容易に運用することができるようになる。
【０１０５】
証明書自動交付手段が、ユーザによる証明書自動交付手段が備えるデータ入力手段の操作により入力された口座振替要求を受付けて情報管理手段に向けて送信するステップと、情報管理手段が、ネットワークを介して証明書自動交付手段から入力した口座振替要求に応じて、引き落とし情報を格納するステップと、情報管理手段が、他の料金の口座振替に関する他の引き落とし情報と情報格納手段に格納されている引き落とし情報とを整理して所定の引き落とし情報を作成するステップと、作成した所定の引き落とし情報を対象とされる金融機関の端末装置にネットワークを介して送信することで通知するステップとを含むようにした場合には、例えば自治体において口座振替に関する情報を一括して管理することができる。また、口座振替に関する情報を一括して金融機関に通知することができ、各金融機関において容易に情報の管理を行うことができる。
【図面の簡単な説明】
【図１】本発明の一実施の形態における証明書自動交付システムの構成の例を示すブロック図である。
【図２】本発明の一実施の形態における証明書自動交付システムの証明書自動交付処理および処理タイミングの例を示す説明図である。
【図３】本発明の一実施の形態における口座管理ファイルの状態の例を示す説明図である。
【図４】本発明の一実施の形態における個人世帯ファイルの状態の例を示す説明図である。
【図５】本発明の一実施の形態における住民情報マスタファイルの状態の例を示す説明図である。
【図６】本発明の一実施の形態における認証情報の入力画面の例を示す説明図である。
【図７】本発明の他の実施の形態におけるホストコンピュータの構成の例を示すブロック図である。
【図８】本発明の他の実施の形態におけるホストコンピュータによる金融機関向け引き落とし情報の作成処理の例を示すフローチャートである。
【符号の説明】
１０  証明書自動交付システム
２０Ａ，２０Ｂ，２０Ｃ  自動交付機
２１Ａ  データ表示部
２２Ａ  カード読取部
２３Ａ  データ入力部
２４Ａ  データ印刷部
２５Ａ  制御部
２６Ａ  送受信部
３０，３０ａ  ホストコンピュータ
３１  制御部
３２  口座管理ファイル記憶部
３３  個人世帯番号ファイル記憶部
３４  住民情報マスタファイル記憶部
３５  口座振替ファイル記憶部
３５ａ  金融機関向け口座振替ファイル記憶部
３６  発行記録ファイル記憶部
３７  送受信部
４０  ネットワーク
【図１】
0003624790.tif 000002
【図２】
0003624790.tif 000003
【図３】
0003624790.tif 000004
【図４】
0003624790.tif 000005
【図５】
0003624790.tif 000006
【図６】
0003624790.tif 000007
【図７】
0003624790.tif 000008
【図８】
0003624790.tif 000009